(57)【要約】【課題】  間歇モードＡＦＭにおいて、真空中でＱ値の高いカンチレバを用いても安定したＡＭ検出を行なえるようにする。【解決手段】  試料１と探針５の間に働く原子間力の変化によって生じたカンチレバ４の加振周波数の変化は、常にＰＬＬ回路２０によって検出されてカンチレバ４の加振周波数となる。振幅量を検出するために増幅器１０から振幅検出部１１に入力される入力信号の周波数Ｆｉｎは、原子間力によってシフトした周波数である。即ち、振幅検出部１１から出力される振幅量の信号は、シフトしたスペクトルの最大振幅となるので、カンチレバの固有振動数の変化が測定中に連続して発生しても、ＡＭ検出による正常な測定を続けることができる。【選択図】図１
2009281904.tif 000002
【特許請求の範囲】
【請求項１】
先端に探針を有し他端が支持されたカンチレバと、該カンチレバを固有振動数で加振する加振手段と、該探針と試料とを対向させて該試料と前記探針とが対向する位置を水平方向に相対的に移動させるＸＹ軸走査手段と、前記試料と前記探針との距離に応じて変化する前記カンチレバの変位を検出する変位検出手段と、前記変位検出手段の出力電圧信号と参照電圧との誤差を検出する誤差検出手段と、前記誤差検出手段によって検出された前記誤差に基づいて前記試料と前記探針との間の距離を制御するＺ軸駆動手段とを有する走査型プローブ顕微鏡において、
前記変位検出手段の検出信号を入力信号とし、該入力信号の周波数を電圧に変換して出力するとともに該電圧を電圧制御発振器により周波数信号に変換して前記入力信号の入力側にフィードバックする周波数-電圧変換手段と、前記周波数-電圧変換手段の出力電圧を前記加振手段にフィードバックするフィードバック手段とを備えた、ことを特徴とする走査型プローブ顕微鏡。
【請求項２】
前記周波数-電圧変換手段のフィードバックループをクローズしてフィードバックが動作する状態と、前記フィードバックループをオープンして前記電圧制御発振器の周波数を固定する状態との切り換えを行なう切り換え手段を設けた、ことを特徴とする請求項１に記載の走査型プローブ顕微鏡。
【請求項３】
前記誤差検出手段で検出される誤差が予め設定した閾値を超えたか否かを判定する判定手段を備え、前記判定手段による判定結果に基づいて、前記周波数-電圧変換手段のフィードバックループをクローズからオープンに切り換えるようにした、ことを特徴とする請求項２に記載の走査型プローブ顕微鏡。
【発明の詳細な説明】
【技術分野】
【０００１】
本発明は、先端に探針を有し他端が支持されたカンチレバを加振しながら試料表面に接近させ、探針と試料との間に生じる原子間力やその他の物理量を検出して試料表面の形状観察などを行なう走査型プローブ顕微鏡に係わり、特に探針を試料に間歇接触させて測定を行なう方法の改良に関する。
【背景技術】
【０００２】
走査型プローブ顕微鏡の測定方法には、試料に探針を接触させて走査するコンタクト（接触）モードと、探針が試料に接触しない状態で走査し加振されたカンチレバの固有振動数の変化を検出するノンコンタクト（非接触）モードと、カンチレバを加振しながら探針を試料に接近させ間歇的に軽く接触させる間歇接触モード（タッピングモード、サイクリック接触モード、ＤＦＭモード等とも呼称される）とがある。
【０００３】
コンタクトモードでは、原子サイズの高分解能測定が可能であるが、試料表面に探針が接触しながら走査が行なわれるため、試料表面や探針が損傷する場合がある。その一方、ノンコンタクトモードでは試料表面と探針が接触する問題は無いが、一般的に分解能や形状変化に対する信号検出の応答速度が劣るという欠点がある。間歇接触モードはこれらの折衷案として開発されたもので、高分子、有機物、生物試料等の比較的柔らかい試料の形状測定に有効とされる。
【０００４】
図２に、間歇モードで測定を行なう従来の走査型プローブ顕微鏡の概略構成例を示す。図２において、先端に探針５が固定されたカンチレバ４は、加振ピエゾ素子６により固有振動数或いはその近傍の周波数で加振される。７は加振ピエゾ素子６を加振するための発振信号を出力する発振器である。２は試料１と探針５との間の距離を制御するためのＺピエゾスキャナ、３は試料１と探針５とが対向する位置を水平方向に相対的に移動させるためのＸＹピエゾスキャナ、１６はＸＹピエゾスキャナを駆動するＸＹ走査制御部である。
【０００５】
８はカンチレバ４の背面にレーザを照射するためのレーザ光源、９は試料１と探針５との間に作用する力によるカンチレバ４の変位をレーザ光の反射強度変化により検出する変位検出器、１０は変位検出器９の出力信号を増幅する増幅器、１１は１０によって増幅された変位検出器９の出力信号の振幅量を検出する振幅検出部である。振幅検出部１１は、入力信号の振幅量を直流電圧（ＤＣ）の実効値として検出するＲＭＳ（Ｒｏｏｔ-Ｍｅａｎ-Ｓｑｕａｒｅ）-ＤＣ回路からなる。
【０００６】
１２は基準信号発生器１３から入力される参照電圧Ｖｒと振幅検出部１１から出力された振幅量の実効値（電圧）との誤差を検出して誤差信号を出力する誤差増幅器、１７は誤差増幅器１２から出力された誤差信号を増幅する増幅器、１８は増幅器１７によって増幅された誤差信号の低周波数のみを通過するローパスフィルタ、１４はローパスフィルタ１８を通過した誤差信号に基づいてＺピエゾスキャナ２を駆動制御するＺ軸駆動制御部、１５はローパスフィルタ１８を通過した誤差信号に基づいて試料１の表面形状を画像表示するための画像信号処理部である。なお図示はしていないが、走査型プローブ顕微鏡の全体の制御と、得られる測定データの処理と表示を行なう制御演算装置を備えている。
【０００７】
このように構成された走査型プローブ顕微鏡において、試料１の測定は以下に述べるように行なわれる。
【０００８】
Ｚピエゾスキャナ２に試料１がセットされた状態で、発振器７からの加振信号が加振ピエゾ素子６に供給される。加振ピエゾ素子６が振動することにより、カンチレバ４がその固有振動数（共振周波数）で加振され、その周波数で発振した状態に保持される。この状態で、Ｚ軸駆動制御部１４によりＺピエゾスキャナ２を駆動して試料1に探針５を接近させると、試料1に探針５の間に原子間力が働くようになる。この原子間力により、カンチレバ４の共振周波数（すなわち加振ピエゾ素子６による加振周波数）からシフトし、その振動振幅も変化する。
【０００９】
カンチレバ４の共振周波数及び振動振幅は、変位検出器９により検出され、増幅器１０を経て振幅検出部１１により共振周波数の振幅量が直流電圧（ＤＣ）の実効値として検出される。誤差増幅器１２により、振幅検出部１１の出力と基準信号発生器１３から入力される参照電圧Ｖｒとの誤差が検出される。この誤差信号は増幅器１７によって増幅され、ローパスフィルタ１８を通過した低周波数の信号がＺピエゾスキャナ２に供給されるとともに、画像信号処理部１５に供給され、試料表面の形状情報として図示しない表示装置に画像表示される。上記のように振幅検出部１１で検出される振動振幅値に基づいてＺピエゾスキャナ２を制御する方法は、ＡＭ検出法、振幅制御法などと呼称される。
【００１０】
従来のＡＭ検出法において、カンチレバ４は固定された振動数で加振されている。即ち、試料観察の前に、カンチレバ４の振動周波数に対する振幅の関係を測定し、固有振動数を決定した後、カンチレバ４にある振幅Ｖｏを与えるために加振ピエゾ６に供給する電圧が設定される。
【００１１】
図３は、共振特性Ｑ値が１０００程度の比較的Ｑ値が低いカンチレバを用いて測定した共振スペクトルデータである。横軸はカンチレバの振動周波数、縦軸は振動振幅の大きさを表す。これらスペクトルは、周波数掃引を低周波数側からと高周波数側から行なった結果を組み合わせて表示している。点線で示す部分は推定された部分である。なお、共振特性Ｑ値は共振ピークの周波数をν０、ピークの半値幅をΔνとすると、Ｑ＝ν０／Δν  で与えられ、共振スペクトルのピークの鋭さをあらわすパラメータである。
【００１２】
図３において、スペクトル１は試料１と探針５との間に原子間力（この場合は引力）が働いていない場合のスペクトルである。スペクトル２〜５は、試料１と探針５との間の距離が減少して引力が増加するのに伴い、ピーク先端が低周波数側に折れ曲がった形状となることを示している。即ち、ピーク先端は引力が増すのにつれて低周波数側に移動するが、ピークの麓は殆ど移動していない。従って、このようにカンチレバのＱ値が低い場合は、ＡＭ検出法によってＺピエゾスキャナ２の制御を正常に行なうことができる。
【００１３】
これに対して、図４は、Ｑ値が１００００程度の比較的Ｑ値が高いカンチレバを用いて測定した共振スペクトルデータである。試料１と探針５との間に原子間力が働いていない場合のスペクトル１に対して、スペクトル２〜８は引力が増加するのに伴いピーク全体が低周波数側に移動していくことが分かる。そのため、ＡＭ検出法では斥力による力を制御することができなくなる。
【００１４】
従来のＡＭ検出法の場合、固有振動数かその近傍の周波数でカンチレバを一定加振するため、僅かに引力が増加しただけで見かけの振幅が激減することになる。図５は、この事情を説明するための模式図である。図５において、カンチレバに原子間力の働いていないときに得られるスペクトル１の共振ピーク周波数と振幅はｆ１とＡ１、引力が僅かに増加した時のスペクトル２の共振ピーク周波数と振幅はｆ２とＡ２である。スペクトル２の振幅Ａ２はスペクトル１の振幅Ａ１に比べて僅かに低くなるだけであるが、カンチレバのＱ値が高いため、スペクトル全体が低周波数側に移動している。そのため、周波数ｆ１におけるスペクトル２の見かけの振幅はＡ３となり、本来の振幅Ａ２に比べて著しく低い値となってしまう。
【００１５】
カンチレバの固有振動数が測定中に変化する要因として、例えば温度変化が挙げられる。カンチレバの温度が低下すると固有振動数は増加し、上昇すると減少する。また例えば、ガス分子がカンチレバに付着することによって質量が変化しても固有振動数は変化する。こうしたカンチレバの固有振動数の変化が測定中に連続して発生すると、一定周波数で加振を行なう従来のＡＭ検出法では振幅が変化してしまうことになる。その結果、同一視野内で均一な条件下での測定が行なえないということになる。最悪の場合はフィードバック制御が働かず、測定そのものが行なえなくなる。
【００１６】
カンチレバを大気中や液中で振動させると強い抵抗がかかるためＱ値は一般に低下するが、真空中で通常のカンチレバを発振させると、そのＱ値はおよそ１００００程度になってしまう。上述したノンコンタクトモードにおいては、図４に示すような共振周波数の変化を検出してＺピエゾスキャナの制御を行なう周波数制御法（ＦＭ検出法）が多く用いられる。しかし、ＦＭ検出法には表面の凹凸変化に対する応答が遅いという欠点があり、また原子間力のうち斥力領域の測定を行なうためにはどうしてもＡＭ検出法を使用する必要がある。
【００１７】
そのため、例えば特許文献１の特開平１１−３３７５６０号公報には、カンチレバの保持力を可変できる構造とすることによりＱ値を制御するようにした技術が開示されている。また、特許文献２の特開２００４−１６３３９２号公報には、カンチレバから変位検出信号を増幅する可変増幅器を設け、該可変増幅器の出力を該カンチレバの発振信号に重畳させる回路を構成し、該可変増幅器の増幅率を調整することによってＱ値を制御する技術が開示されている。
【００１８】
【特許文献１】特開平１１−３３７５６０号公報
【特許文献２】特開２００４−１６３３９２号公報
【発明の開示】
【発明が解決しようとする課題】
【００１９】
特許文献１の特開平１１−３３７５６０号公報に開示されているＱ値制御技術は、カンチレバを加振するために二つのアクチュエータを備え、そのひとつのアクチュエータによりカンチレバを弾性体に押し付ける機械的手段で調整を行なうため最適値で制御を行なうことが容易ではないという問題がある。
【００２０】
また、特許文献２の特開２００４−１６３３９２号公報に開示されているＱ値制御技術は、Ｑ値を制御できる範囲が限られており、必ずしも所望するＱ値に設定できなという問題点がある。
【００２１】
また、そもそもＱ値を低くして測定ができたとしても、高いＱ値での高感度測定を行なうという目的を達することはできない。
【００２２】
本発明は上記した問題を解決するためになされたものであって、その目的は、真空中で高いＱ値を持つカンチレバを用いてＡＭ検出法によって測定を行なうとき、カンチレバの固有振動数の変化が測定中に連続して発生しても、Ｚピエゾスキャナの制御を安定して行い、間歇接触モードで測定を行なうことのできる走査型プローブ顕微鏡を提供することにある。
【課題を解決するための手段】
【００２３】
上記の問題を解決するために、
請求項１に記載の発明は、先端に探針を有し他端が支持されたカンチレバと、該カンチレバを固有振動数で加振する加振手段と、該探針と試料とを対向させて該試料と前記探針とが対向する位置を水平方向に相対的に移動させるＸＹ軸走査手段と、前記試料と前記探針との距離に応じて変化する前記カンチレバの変位を検出する変位検出手段と、前記変位検出手段の出力電圧信号と参照電圧との誤差を検出する誤差検出手段と、前記誤差検出手段によって検出された前記誤差に基づいて前記試料と前記探針との間の距離を制御するＺ軸駆動手段とを有する走査型プローブ顕微鏡において、
前記変位検出手段の検出信号を入力信号とし、該入力信号の周波数を電圧に変換して出力するとともに該電圧を電圧制御発振器により周波数信号に変換して前記入力信号の入力側にフィードバックする周波数-電圧変換手段と、前記周波数-電圧変換手段の出力電圧を前記加振手段にフィードバックするフィードバック手段とを備えたことを特徴とする。
【００２４】
また請求項２に記載の発明は、前記周波数-電圧変換手段のフィードバックループをクローズしてフィードバックが動作する状態と、前記フィードバックループをオープンして前記電圧制御発振器の周波数を固定する状態との切り換えを行なう切り換え手段を設けたことを特徴とする。
【００２５】
また請求項３に記載の発明は、前記誤差検出手段で検出される誤差が予め設定した閾値を超えたか否かを判定する判定手段を備え、前記判定手段による判定結果に基づいて、前記周波数-電圧変換手段のフィードバックループをクローズからオープンに切り換えるようにしたことを特徴とする。
【発明の効果】
【００２６】
本発明によれば、真空中で高いＱ値を持つカンチレバを用いても、カンチレバの振動周波数の変化を検出して常に共振周波数ピークの最大振幅を測定できるようにしたので、測定中に例えばカンチレバの温度変化や質量変化が生じて、カンチレバの固有振動数が刻々変化してしまうような場合にも安定したＡＭ検出（振幅検出）を行なうことができる。そのため、真空中における間歇接触モードの測定において、早い応答でノイズの少ない表面形状の測定を行なうことができる。また、カンチレバの振動周波数の変化を検出しているので、ＡＭ検出により試料表面の形状情報を得ると同時に磁気力や静電気力等の測定を行なうことが可能となる。  
【発明を実施するための最良の形態】
【００２７】
以下図面を参照しながら、本発明の実施の形態について説明する。但し、この例示によって本発明の技術範囲が制限されるものでは無い。各図において、同一または類似の動作を行なうものには共通の符号を付し、詳しい説明の重複を避ける。
【００２８】
図１は本発明を実施するための走査型プローブ顕微鏡の概略構成例である。図１において、先端に探針５が固定されたカンチレバ４は、加振ピエゾ素子６により固有振動数或いはその近傍の周波数で加振される。２はＺピエゾスキャナ、３はＸＹピエゾスキャナ、１６はＸＹピエゾスキャナを駆動するＸＹ走査制御部である。８はレーザ光源、９は変位検出器、１０は変位検出器９の出力信号を増幅する増幅器、１１は増幅器１０の出力信号の振幅量を検出する振幅検出部、１２は誤差増幅器、１７は誤差増幅器１２から出力された誤差信号を増幅する増幅器、１８はローパスフィルタ、１４はＺ軸駆動制御部、１５は画像信号処理部である。
【００２９】
２０はＰＬＬ（Ｐｈａｓｅ  Ｌｏｃｋ  Ｌｏｏｐ）回路で、位相比較器２１、ループフィルタ２２及びＶＣＯ（Ｖｏｌｔａｇｅ  Ｃｏｎｔｒｏｌｌｅｄ  Ｏｓｃｉｌｌａｔｏｒ；電圧制御可変発振器）２３とからなる。増幅器１０で増幅された変位検出器９の出力信号は二つに分けられ、振幅検出部１１と位相比較器２１に入力される。１９はＰＬＬ回路２０のフィードバックループがオープンとなるようにＶＣＯ２３の周波数を固定する状態と、該フィードバックループがクローズとなるようにＶＣＯ２３の周波数を可変可能とする状態との切り換えを行なう切り換え制御部である。なお図示はしていないが、走査型プローブ顕微鏡の全体の制御と、得られる測定データの処理と表示を行なう制御演算装置を備えている。
（実施の形態１）
このように構成された本発明の走査型プローブ顕微鏡における試料１の測定方法について以下に述べる。
【００３０】
始めに、試料表面の形状測定を行なうときの試料1と探針５との距離を決める方法を説明する。
【００３１】
Ｚピエゾスキャナ２に試料１がセットされた状態で、ＰＬＬ回路２０のフィードバックループをオープンとしフィードバックが働かない状態にして、ＶＣＯ２３からの発振周波数により加振ピエゾ素子６を加振する。カンチレバ４がその固有振動数（共振周波数）の近傍で加振され、その周波数で発振した状態に保持される。
【００３２】
次に、ＰＬＬ回路２０のフィードバックループをクローズとし、フィードバックが働く状態に設定する。Ｚ軸駆動制御部１４によりＺピエゾスキャナ２を駆動して試料1に探針５を接近させると、試料1に探針５の間に原子間力が働き、カンチレバ４は試料1と探針５との距離に応じてシフトした共振周波数で振動する。そのシフトした周波数はＰＬＬ回路２０により検出され、ＶＯＣ２３からの出力として加振ピエゾ素子６に印加される。これによりカンチレバ４は、試料1と探針５との距離に応じた共振周波数で自励発振が制御される。
【００３３】
上記のように試料表面の形状測定を行なうための基準となる試料1と探針５との距離が決まる。この状態でＸＹ走査制御部１６によりＸＹピエゾスキャナ３を走査させると、表面の凹凸状態によって変化するカンチレバ４の共振周波数及び振動振幅は変位検出器９により検出される。増幅器１０により増幅された変位検出器９の出力信号は二つに分けられ、振幅検出器１１とＰＬＬ回路２０の入力信号（周波数Ｆｉｎ）となる。
【００３４】
増幅器１０からＰＬＬ回路２０の位相比較器２１に入力した信号はＰＬＬ回路によってフィードバックがかけられ、ＶＣＯ２３の出力信号（周波数Ｆｏｕｔ）が入力信号（周波数Ｆｉｎ）と同じ周波数となるようにフィードバックされる。それとともに、ＶＣＯ２３の出力信号（周波数Ｆｏｕｔ）は加振ピエゾ素子６に送られ、カンチレバ４が周波数Ｆｏｕｔで加振されることになる。
【００３５】
振幅検出部１１に入力した信号の振幅量は、ＲＭＳ-ＤＣ回路により直流電圧（ＤＣ）の実効値として検出される。振幅検出部１１の出力は誤差増幅器１２により、基準信号発生器１３から入力される参照電圧Ｖｒとの誤差が検出される。この誤差信号は増幅器１７によって増幅され、ローパスフィルタ１８を通過した低周波数の信号がＺピエゾスキャナ２に供給され、誤差信号がゼロとなるように、即ち試料１と探針５との距離が一定に保たれるようにフィードバック制御される。また、誤差信号は画像信号処理部１５に供給され、試料表面の形状情報として図示しない表示装置に画像表示される。
【００３６】
一方、試料１と探針５の間に働く原子間力の変化（即ち、試料１と探針５との距離の変化）によって生じたカンチレバ４の加振周波数の変化は、常にＰＬＬ回路２０によって検出されてカンチレバ４の加振周波数となる。振幅量を検出するために増幅器１０から振幅検出部１１に入力される入力信号の周波数は、原子間力によってシフトした周波数である。即ち、振幅検出部１１から出力される振幅量の信号は、図５における振幅Ａ３のような低下した大きさとはならず、シフトしたスペクトル２の最大振幅である振幅Ａ２のような大きさとなるので正常な測定を続けることができる。
【００３７】
以上述べたよう、真空中でＱ値の高いカンチレバを用いても、カンチレバの振動周波数の変化を検出して常に共振周波数ピークの最大振幅を測定できるようにしたので、測定中に例えばカンチレバの温度変化や質量変化が生じて、カンチレバの固有振動数が刻々変化してしまうような場合にも安定したＡＭ検出（振幅検出）を行なうことができる。
【００３８】
ところで、表面の凹凸状態を測定中、ＰＬＬ回路２０のフィードバックループがクローズされていると、ループフィルタ２２からは周波数Ｆｉｎに相当する電圧Ｖｆが出力される。電圧Ｖｆを画像信号処理部１５に送れば、カンチレバの振動周波数の変化を画像化することができる。
【００３９】
もし試料表面とカンチレバとの間に例えば磁気力や静電気力等の力が働いている場合、この周波数信号の変化によってこうした力の変化を観察することが可能である。即ち、本発明によれば、ＡＭ検出により試料表面の形状情報を得ると同時に磁気力や静電気力等の測定を行なうことが可能となる。なお、磁気力の測定を行なう場合は、カンチレバに取り付けられる探針に、コバルトやニッケル等の強磁性体の物質をコーティングしたものを用いる必要がある。
（実施の形態２）
次に、ＰＬＬ回路２０のフィードバックループを自動的にクローズからオープンに切り換える方法について説明する。例えば磁気力や静電気力等の力の変化を位相の変化により測定するためには、カンチレバを固定周波数で加振する必要がある。従来はこの測定に用いる固定周波数を操作者が決めているため、手間がかかり面倒であった。本発明では図６の模式図を用いて以下に説明するように、この固定周波数を自動的に設定することができる。
【００４０】
図６において、スペクトル１は試料１と探針５とが離れた状態でのカンチレバ４の共振スペクトルを表す。試料表面の形状測定が可能な状態にまで試料１と探針５が接近したときの共振スペクトルをスペクトル３とする。スペクトル１とスペクトル３の振幅の差をΔＡとすると、試料１に探針５を接近させるための振幅変化の目標値がΔＡとなる。ＰＬＬ回路２０のフィードバックループがクローズの状態でスペクトル１が得られているとき、試料１と探針５を接近させていくと、カンチレバ４の共振スペクトルの固有振動数が変化するとともに振幅検出部１１で検出される振幅が小さくなっていく。このとき検出される振幅が、目標値ΔＡに対して例えばΔＡ／１０以内に小さくなったか（図６においてスペクトル２の状態）否かを判定する。小さくなっていれば切換制御部１９を動作させてＰＬＬ回路２０のフィードバックループをオープンにすれば、カンチレバ４はそのときの共振周波数で固定加振される。なお、この判定と切換制御部１９の制御は、図示しない制御演算装置によって行なわれる。
【００４１】
この状態でＸＹ走査制御部１６によりＸＹピエゾスキャナ３を走査させると、表面の凹凸状態によって変化するカンチレバ４の共振周波数及び振動振幅は変位検出器９により検出される。増幅器１０により増幅された変位検出器９の出力信号は二つに分けられ、振幅検出器１１とＰＬＬ回路２０の入力信号（周波数Ｆｉｎ）となる。
【００４２】
振幅検出部１１に入力した信号の振幅量は、ＲＭＳ-ＤＣ回路により直流電圧（ＤＣ）の実効値として検出される。振幅検出部１１の出力は誤差増幅器１２により、基準信号発生器１３から入力される参照電圧Ｖｒとの誤差が検出される。この誤差信号は増幅器１７によって増幅され、ローパスフィルタ１８を通過した低周波数の信号がＺピエゾスキャナ２に供給され、誤差信号がゼロとなるように、即ち試料１と探針５との距離が一定に保たれるようにフィードバック制御される。また、誤差信号は画像信号処理部１５に供給され、試料表面の形状情報として図示しない表示装置に画像表示される。
【００４３】
一方、ＰＬＬ回路２０のＶＣＯ２３の周波数は固定されているので、ループフィルタ２２から位相信号を取り出して画像信号処理部１５に送ることができる。そのため、試料表面とカンチレバとの間に例えば磁気力や静電気力等の力が働いて生じた位相信号の変化を観察することが可能となる。
【００４４】
上記したように、本発明によれば、カンチレバの加振周波数を固定して、試料表面の凹凸測定と磁気力や静電気力等の力変化の測定を同時に行なう際に、固定すべきカンチレバの周波数を自動的に設定することが可能となる。
【図面の簡単な説明】
【００４５】
【図１】本発明を実施する走査型プローブ顕微鏡の概略構成例を示す図。
【図２】従来の走査型プローブ顕微鏡の概略構成例を示す図。
【図３】比較的Ｑ値が低いカンチレバを用いて測定した共振スペクトルデータの例。
【図４】比較的Ｑ値が高いカンチレバを用いて測定した共振スペクトルデータの例。
【図５】従来のＡＭ検出法で見かけの振幅が激減する様子を説明するための図。
【図６】カンチレバの固定周波数を自動的に設定する方法を説明するための図。
【符号の説明】
【００４６】
（同一または類似の動作を行なうものには共通の符号を付す。）
１…試料
２…Ｚピエゾスキャナ
３…ＸＹピエゾスキャナ
４…カンチレバ
５…探針
６…加振ピエゾ素子
７…発振器
８…レーザ光源
９…変位検出器
１０…増幅器
１１…振幅検出部
１２…誤差増幅器
１３…基準信号発生器
１４…Ｚ軸駆動制御部
１５…画像信号処理部
１６…ＸＹ走査制御部
１７…増幅器
１８…ローパスフィルタ
１９…切り換え制御部
２０…ＰＬＬ回路
２１…位相比較器
２２…ループフィルタ
２３…ＶＣＯ
【図１】
2009281904.tif 000003
【図２】
2009281904.tif 000004
【図３】
2009281904.tif 000005
【図４】
2009281904.tif 000006
【図５】
2009281904.tif 000007
【図６】
2009281904.tif 000008